【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
付加画像データを含む画像データを出力する出力装置であって、
読み取られることによって得られる付加画像データを含む画像データを取得する取得手段と、
前記取得手段により取得された画像データから、当該画像データに含まれる付加画像データから差し替える付加画像データを特定するために用いられる付加データを抽出する抽出手段と、
前記抽出手段により抽出された付加データを用いることにより、前記取得手段により取得された画像データに含まれる付加画像データとは異なる付加画像データを取得する付加画像データ取得手段と、
前記取得手段により取得された画像データに含まれる付加画像データと、前記付加画像データ取得手段により取得された付加画像データとを差し替えた画像データを生成する画像生成手段と、
前記画像生成手段により生成された画像データを用いて、出力処理を行う出力手段と
を有することを特徴とする出力装置。
【請求項２】
前記取得手段により取得される画像データには、前記付加データが埋め込まれた印字情報が含まれるものであり、
前記抽出手段は、前記印字情報から前記付加データを抽出することを特徴とする請求項１に記載の出力装置。
【請求項３】
前記付加画像データ取得手段により取得された付加画像データから差し替える当該付加画像データとは異なる付加画像データを特定するために用いられる付加データを含む印字情報を生成する印字情報生成手段を更に有し、
前記画像生成手段は、前記取得手段により取得された画像データに含まれる印字情報と、前記印字情報生成手段により生成された印字情報とを差し替えた画像データを生成することを特徴とする請求項２に記載の情報処理装置。
【請求項４】
利用者よりなされる付加画像データを削除する指示を受け付ける削除指示受付手段を更に有し、
前記生成手段は、前記抽出手段により抽出された付加データに含まれる前記付加画像データの配置位置を特定する情報を用いることにより、前記取得手段により取得された画像データから、前記削除指示受付手段により削除の指示を受け付けた付加画像データを削除した画像データを生成することを特徴とする請求項１乃至３のいずれか１項に記載の出力装置。
【請求項５】
前記削除指示受付手段は、前記付加画像データと共に前記印字情報を削除する指示を含むものであり、
前記生成手段は、前記抽出手段により抽出された付加データに含まれる前記付加画像データの配置位置を特定する情報と前記印字情報の配置位置を特定する情報とを用いることにより、前記取得手段により取得された画像データから、前記削除指示受付手段により削除の指示を受け付けた付加画像データと印字情報とを削除した画像データを生成することを特徴とする４に記載の出力装置。
【請求項６】
前記抽出手段により付加データが抽出されなかった場合、前記取得手段により取得された画像データを解析することで得られる特徴量に基づく付加データを疑似的に生成する疑似生成手段を更に有することを特徴とする請求項１乃至５のいずれか１項に記載の情報処理装置。
【請求項７】
情報処理装置と付加画像データを含む画像データを出力する出力装置とが通信可能な情報処理システムであって、
読み取られることによって得られる付加画像データを含む画像データを取得する取得手段と、
前記取得手段により取得された画像データから、当該画像データに含まれる付加画像データから差し替える付加画像データを特定するために用いられる付加データを抽出する抽出手段と、
前記抽出手段により抽出された付加データを用いることにより、前記取得手段により取得された画像データに含まれる付加画像データとは異なる付加画像データを取得する付加画像データ取得手段と、
前記取得手段により取得された画像データに含まれる付加画像データと、前記付加画像データ取得手段により取得された付加画像データとを差し替えた画像データを生成する画像生成手段と、
前記画像生成手段により生成された画像データを用いて、出力処理を行う出力手段と
を有することを特徴とする情報処理システム。
【請求項８】
付加画像データを含む画像データを出力する出力装置における制御方法であって、
読み取られることによって得られる付加画像データを含む画像データを取得する取得ステップと、
前記取得ステップにより取得された画像データから、当該画像データに含まれる付加画像データから差し替える付加画像データを特定するために用いられる付加データを抽出する抽出ステップと、
前記抽出ステップにより抽出された付加データを用いることにより、前記取得ステップにより取得された画像データに含まれる付加画像データとは異なる付加画像データを取得する付加画像データ取得ステップと、
前記取得ステップにより取得された画像データに含まれる付加画像データと、前記付加画像データ取得ステップにより取得された付加画像データとを差し替えた画像データを生成する画像生成ステップと、
前記画像生成ステップにより生成された画像データを用いて、出力処理を行う出力ステップと
を有することを特徴とする制御方法。
【請求項９】
付加画像データを含む画像データを出力する出力装置において実行可能なプログラムであって、
読み取られることによって得られる付加画像データを含む画像データを取得する取得手段、
前記取得手段により取得された画像データから、当該画像データに含まれる付加画像データから差し替える付加画像データを特定するために用いられる付加データを抽出する抽出手段、
前記抽出手段により抽出された付加データを用いることにより、前記取得手段により取得された画像データに含まれる付加画像データとは異なる付加画像データを取得する付加画像データ取得手段、
前記取得手段により取得された画像データに含まれる付加画像データと、前記付加画像データ取得手段により取得された付加画像データとを差し替えた画像データを生成する画像生成手段、
前記画像生成手段により生成された画像データを用いて、出力処理を行う出力手段
として前記出力装置を機能させることを特徴とするプログラム。
【請求項１０】
請求項９に記載のプログラムをコンピュータ読み取り可能に記録した記録媒体。
【手続補正２】
【補正対象書類名】明細書
【補正対象項目名】００１０
【補正方法】変更
【補正の内容】
【００１０】
本発明は、上記課題を解決するものであり、読み取られた画像の画像データに含まれる付加画像データとは異なる付加画像データに差し替えて出力することを可能とすることを目的とする。
【手続補正３】
【補正対象書類名】明細書
【補正対象項目名】００１１
【補正方法】変更
【補正の内容】
【００１１】
本発明は、付加画像データを含む画像データを出力する出力装置であって、読み取られることによって得られる付加画像データを含む画像データを取得する取得手段と、前記取得手段により取得された画像データから、当該画像データに含まれる付加画像データから差し替える付加画像データを特定するために用いられる付加データを抽出する抽出手段と、前記抽出手段により抽出された付加データを用いることにより、前記取得手段により取得された画像データに含まれる付加画像データとは異なる付加画像データを取得する付加画像データ取得手段と、前記取得手段により取得された画像データに含まれる付加画像データと、前記付加画像データ取得手段により取得された付加画像データとを差し替えた画像データを生成する画像生成手段と、前記画像生成手段により生成された画像データを用いて、出力処理を行う出力手段とを有することを特徴とする。
【手続補正４】
【補正対象書類名】明細書
【補正対象項目名】００１２
【補正方法】変更
【補正の内容】
【００１２】
本発明によれば、読み取られた画像の画像データに含まれる付加画像データとは異なる付加画像データに差し替えて出力することが可能となる。